(57)【要約】【課題】複電子銃陰極線管において、画面の重複領域における輝度を均一化するための輝度変調曲線を容易に決定することができるようにする。【解決手段】オーバ・ラップ領域ＯＬを含む領域内において、複数箇所で輝度の測定を行う。演算部５５は、輝度測定の結果から、各分割画面について、オーバ・ラップ領域ＯＬの輝度分布を求め、この輝度分布に基づいて、信号変調曲線を求める際に利用する輝度変調曲線を求める。測定箇所は、各分割画面について、最低２箇所設定する。このうち１箇所は、各分割画面について、オーバ・ラップ領域ＯＬにおける自画面側の境界付近（繋ぎ目付近）の領域を含むように設定する。【選択図】　　　図３
2004021057.tif 000002
【特許請求の範囲】
【請求項１】
複数の分割画面を部分的に重複させて互いに繋ぎ合わせることにより全体として単一の画面を形成すると共に、その重複領域に輝度変調を施して画面の輝度の適正化を図るようにした陰極線管に適用される輝度補正システムであって、
少なくとも前記重複領域内における画面上の複数箇所の輝度を、各分割画面ごとに測定する測定手段と、
その測定結果に基づいて、前記重複領域内における画面上の輝度分布を前記各分割画面ごとに求める第１の演算手段と、
その求められた前記各分割画面ごとの輝度分布に基づいて、前記各分割画面を繋ぎ合わせたときに、前記重複領域とその他の領域とで輝度が均一化されるような輝度変調曲線を、前記各分割画面ごとに求める第２の演算手段と
を備え、
前記各分割画面の測定箇所に、少なくとも、前記重複領域とその測定対象となる分割画面側の他の領域との境界部分が含まれている
ことを特徴とする陰極線管の輝度補正システム。
【請求項２】
前記各分割画面の測定箇所に、さらに、少なくとも前記重複領域の中心部分が含まれている
ことを特徴とする請求項１記載の陰極線管の輝度補正システム。
【請求項３】
映像信号の信号レベルを変調することによって輝度の適正化を図るようにした陰極線管に適用され、
前記輝度変調曲線は、前記映像信号の信号レベルを変調するための信号変調曲線の算出に用いられる
ことを特徴とする請求項１記載の陰極線管の輝度補正システム。
【請求項４】
前記複数の分割画面を形成する電子ビームを放出する複数の電子銃を備え、それらの電子銃の駆動電圧を変調することによって輝度の適正化を図るようにした陰極線管に適用され、
前記輝度変調曲線は、前記電子銃の駆動電圧を変調するための電圧変調曲線の算出に用いられる
ことを特徴とする請求項１記載の陰極線管の輝度補正システム。
【請求項５】
複数の分割画面を部分的に重複させて互いに繋ぎ合わせることにより全体として単一の画面を形成すると共に、その重複領域に輝度変調を施して画面の輝度の適正化を図るようにした陰極線管に適用される輝度補正方法であって、
少なくとも前記重複領域内における画面上の複数箇所の輝度を、各分割画面ごとに測定するステップと、
その測定結果に基づいて、前記重複領域内における画面上の輝度分布を前記各分割画面ごとに求めるステップと、
その求められた前記各分割画面ごとの輝度分布に基づいて、前記各分割画面を繋ぎ合わせたときに、前記重複領域とその他の領域とで輝度が均一化されるような輝度変調曲線を、前記各分割画面ごとに求めるステップと
を含み、
前記各分割画面の測定箇所に、少なくとも、前記重複領域とその測定対象となる分割画面側の他の領域との境界部分を含める
ようにしたことを特徴とする陰極線管の輝度補正方法。
【発明の詳細な説明】
【０００１】
【発明の属する技術分野】
本発明は、テレビジョン受像機や各種のモニタ装置などに利用される陰極線管の輝度補正システムおよび方法に関する。
【０００２】
【従来の技術】
従来より、テレビジョン受像機や各種のモニタ装置などには、陰極線管（ＣＲＴ；Ｃａｔｈｏｄｅ　Ｒａｙ　Ｔｕｂｅ）が広く使用されている。陰極線管は、電子銃を備えており、その電子銃から入力信号に対応して電子ビームが放出される。この電子ビームが、パネル側に形成されている蛍光面に対して照射され、走査されることにより、画面が形成される。
【０００３】
陰極線管は、単一の電子銃を備えた構成が一般的であるが、近年では、複数の電子銃を備えた構成のものが開発されている。陰極線管において複数の電子銃を用いる方式は、“複電子銃方式”などと呼ばれている。複電子銃方式の陰極線管（複電子銃陰極線管）は、複数の電子銃により画面を構成するため、１つの電子銃のみを用いた場合に比べて、高輝度化（電子ビーム電流密度の向上）、全体の奥行きの短縮化、および電子ビームのスポット特性改善等の利点がある。
【０００４】
複電子銃陰極線管では、画面領域を複数に分割すると共に、その分割された複数の画面領域（以下、「分割画面」ともいう。）を互いに繋ぎ合わせることにより、全体として１つの画面を形成する。電子銃は、通常、画面の分割数に対応した数だけ設けられる。各分割画面は、それぞれ、対応する電子銃から放出された電子ビームによって走査される。
【０００５】
【発明が解決しようとする課題】
複電子銃陰極線管における画面の構成方法としては、隣接する分割画面同士を部分的に重複（オーバ・ラップ）させるようにしたものと、各分割画面をオーバ・ラップさせることなく、単に画面の端部を線状に繋ぎ合わせるようにしたものとがある。オーバ・ラップさせない方法では、繋ぎ合わせ部分においてそれぞれの画面端が見えないよう、隣り合う画面同士の間隔が生じないようにして画面を形成する必要がある。そのため、電子ビームの軌道制御技術や精密な調整等が必要となる。
【０００６】
一方、オーバ・ラップさせる方法では、画面のオーバ・ラップ領域が、複数の電子ビームによって重複して走査されるため、そのままではその領域の輝度が、他の画面領域に比べて高くなってしまう。このため、オーバ・ラップ領域の輝度を制御し、均一な輝度になるように処理する必要がある。
【０００７】
このオーバ・ラップ領域の輝度制御に関する技術は、例えば１９９８年、Ｐｈｉｌｉｐｓ社による論文「ＳＩＤ　ｄｉｇｅｓｔ　ｐ３５１−３５４　２３．４：“Ｔｈｅ　Ｃａｍｅｌ　ＣＲＴ”」において発表されている。この論文中では、それぞれの電子銃によるビーム電流を余弦的に変化させる方法が提案されている。また、本願出願人は、特開２００１−５６６５８号公報において、オーバ・ラップ領域において輝度差・輝度むらが生じないようにするための発明を提案している。この発明は、輝度変調を行うための補正データをあらかじめ保持しておくことで、あらゆる入力信号・階調において輝度制御を可能にしたシステムである。ただし、その輝度変調を行うための補正データを導き出す手段に関しては、詳細には説明されていない。
【０００８】
ところで、陰極線管では、一般的に蛍光面にカーボンを用いることにより、コントラスト特性を向上させている。例えばカーボンをストライプ状にし、その間に蛍光体を形成するようにしたものなどがある。この蛍光面に含まれるカーボンの割合により、蛍光面からガラスを通り外部に到達する光の量が変化するが、この割合は、必ずしも全面で一様になっておらず、また陰極線管を製造する条件の変化等によってもばらつきが生じる。
【０００９】
また、陰極線管には、利用する環境のほか、製造、調整時のばらつきなど、様々な要因によって生じる“ランディングずれ”が存在する。カラー陰極線管においては、例えば緑を発光させるための電子ビームの中心が、蛍光面上で所定の緑色蛍光体の中心位置に照射されている必要がある。ランディングずれとは、この電子ビームの中心が、所定の蛍光体の中心位置に照射されずに、ずれてしまう状態のことをいう。このランディングずれが大きくなると発光輝度が低下するため、発光輝度のばらつきが生じる。カラー陰極線管では、そのランディングずれの量によっては、異なる色の蛍光体の発光に影響を与える。このため、ランディングずれは、色度にも影響がある。
【００１０】
さらに、電子銃より放出される電子ビームの断面形状は、画面の位置により異なっている。これは、放射する電子銃と画面位置との距離もしくは角度によって生じる幾何学的変化や、偏向ヨークなどによって生じる歪みなど様々な要因がある。
【００１１】
実際の陰極線管では、上述した複数の要因が複雑に絡み合い、その輝度は画像領域で一様ではなく、分布を有しているのが一般的である。一方、オーバ・ラップ領域を有する複電子銃陰極線管において、オーバ・ラップ領域における輝度変調を行うことは、均一かつ良質な画像を得るため必要不可欠である。この輝度変調を行う場合には、陰極線管ごとに、蛍光面における輝度分布の特性を考慮して行うことが必要となってくる。
【００１２】
本発明はかかる問題点に鑑みてなされたもので、その目的は、複電子銃陰極線管において、画面の重複領域における輝度を均一化するための輝度変調曲線を容易に決定することができるようにした陰極線管の輝度補正システムおよび方法を提供することにある。
【００１３】
【課題を解決するための手段】
本発明による陰極線管の輝度補正システムおよび方法は、複数の分割画面を部分的に重複させて互いに繋ぎ合わせることにより全体として単一の画面を形成すると共に、その重複領域に輝度変調を施して画面の輝度の適正化を図るようにした陰極線管に適用されるものである。
【００１４】
本発明による陰極線管の輝度補正システムは、少なくとも重複領域内における画面上の複数箇所の輝度を、各分割画面ごとに測定する測定手段と、その測定結果に基づいて、重複領域内における画面上の輝度分布を各分割画面ごとに求める第１の演算手段と、その求められた各分割画面ごとの輝度分布に基づいて、各分割画面を繋ぎ合わせたときに、重複領域とその他の領域とで輝度が均一化されるような輝度変調曲線を、各分割画面ごとに求める第２の演算手段とを備えている。各分割画面の測定箇所には、少なくとも、重複領域とその測定対象となる分割画面側の他の領域との境界部分が含まれている。
【００１５】
本発明による陰極線管の輝度補正方法は、少なくとも重複領域内における画面上の複数箇所の輝度を、各分割画面ごとに測定するステップと、その測定結果に基づいて、重複領域内における画面上の輝度分布を各分割画面ごとに求めるステップと、その求められた各分割画面ごとの輝度分布に基づいて、各分割画面を繋ぎ合わせたときに、重複領域とその他の領域とで輝度が均一化されるような輝度変調曲線を、各分割画面ごとに求めるステップとを含んでいる。各分割画面の測定箇所には、少なくとも、重複領域とその測定対象となる分割画面側の他の領域との境界部分が含まれている。
【００１６】
本発明による陰極線管の輝度補正システムおよび方法では、少なくとも重複領域内における画面上の複数箇所の輝度が、各分割画面ごとに測定され、その測定結果に基づいて、重複領域内における画面上の輝度分布が各分割画面ごとに求められる。その求められた各分割画面ごとの輝度分布に基づいて、輝度変調曲線が、各分割画面ごとに求められる。
【００１７】
重複領域の輝度の適正化を図るに当たり、重複領域の自画面側の境界部分の輝度が最も視認性に影響を及ぼす。このため、各分割画面の測定箇所に、少なくとも、重複領域とその測定対象となる分割画面側の他の領域との境界部分を含めることで、視認性に最も影響を及ぼす部分の輝度の変調精度を高めることができる。これにより、少ない測定箇所であっても、適正な輝度変調曲線を決定することができる。
【００１８】
【発明の実施の形態】
以下、本発明の実施の形態について図面を参照して詳細に説明する。
【００１９】
まず、本実施の形態に係る輝度補正システムおよび方法が適用される陰極線管の構成を説明する。図１（Ａ），（Ｂ）に示したように、本実施の形態に係る陰極線管は、内側に蛍光面１１Ａが形成されたパネル部１０と、このパネル部１０に一体化されたファンネル部２０とを備えている。ファンネル部２０の後端部の左右にはそれぞれ電子銃３１Ｌ，３１Ｒを内蔵した２つのネック部３０Ｌ，３０Ｒが形成されている。パネル部１０、ファンネル部２０およびネック部３０Ｌ，３０Ｒよりなる全体形状部分は「外囲器」とも呼ばれる。パネル部１０の表面は、蛍光面１１Ａの発光により画像が表示される画像表示面（管面）１１Ｂとなっている。
【００２０】
この陰極線管の内部には、蛍光面１１Ａに対向するように配置された金属製の薄板よりなる色選別機構（ｃｏｌｏｒ　ｓｅｌｅｃｔｉｏｎ　ｍｅｃｈａｎｉｓｍ）１２が配置されている。色選別機構１２は、その外周がフレーム１３によって支持されている。
【００２１】
ファンネル部２０には、アノード電圧ＨＶを供給するための図示しないアノード端子（アノードボタン）が設けられている。ファンネル部２０から各ネック部３０Ｌ，３０Ｒにかけての外周部分には、偏向ヨーク２１Ｌ，２１Ｒと、コンバーゼンスヨーク３２Ｌ，３２Ｒとが取り付けられている。偏向ヨーク２１Ｌ，２１Ｒは、電子銃３１Ｌ，３１Ｒから放出された各電子ビーム５Ｌ，５Ｒを偏向させるためのものである。コンバーゼンスヨーク３２Ｌ，３２Ｒは、各電子銃３１Ｌ，３１Ｒから放出された各色用の電子ビームのコンバーゼンス（集中）を行うためのものである。
【００２２】
ネック部３０Ｌ，３０Ｒからパネル部１０の蛍光面１１Ａに至る内周面は、導電性の内部導電膜２２によって覆われている。内部導電膜２２は、アノード端子に電気的に接続され、アノード電圧（高電圧）ＨＶに保たれている。ファンネル部２０の外周面は、導電性の外部導電膜２３によって覆われている。
【００２３】
電子銃３１Ｌ，３１Ｒは、図示しないが、それぞれカソード（熱陰極）を有している。カラー陰極線管の場合、それぞれ、Ｒ，Ｇ，Ｂの各色に対応した３本のカソードを有している。電子銃３１Ｌ，３１Ｒから放出された電子ビーム５Ｌ，５Ｒは、それぞれ色選別機構１２などを通過して蛍光面１１Ａの対応する色の蛍光体に照射される。
【００２４】
ここで、図１（Ｂ）および図２を参照して、この陰極線管の画面構成および電子ビームの走査方式の具体例を説明する。この陰極線管では、左側に配置された電子銃３１Ｌからの電子ビーム５Ｌによって、画面の約左半分が描画されると共に、右側に配置された電子銃３１Ｒからの電子ビーム５Ｒによって、画面の約右半分が描画される。そして、左右の電子ビーム５Ｌ，５Ｒによって形成された各分割画面６Ｌ，６Ｒの端部を、部分的に重ねて繋ぎ合わせることにより、全体として単一の画面ＳＡを形成して画像表示が行われる。画面ＳＡの中央部分は、左右の分割画面６Ｌ，６Ｒがオーバ・ラップする（重複する）領域ＯＬとなる。オーバ・ラップ領域ＯＬにおける蛍光面１１Ａは、各電子ビーム５Ｌ，５Ｒに共有される（共通して走査される）ことになる。
【００２５】
なお、本実施の形態において、過走査領域とは、電子ビーム５Ｌ，５Ｒの各々の走査領域において、有効画面を形成する電子ビーム５Ｌ，５Ｒの各々の走査領域の外側の領域のことをいう。図１においては、領域ＳＷ１が、電子ビーム５Ｒについての水平方向の有効画面領域であり、領域ＳＷ２が、電子ビーム５Ｌについての水平方向の有効画面領域である。
【００２６】
図２（Ａ），（Ｂ）に示した走査方式は、いわゆるライン走査（主走査）を画面上の上下方向（縦方向）に行い、いわゆるフィールド（またはフレーム）走査を水平方向（横方向）に行うようにしたものである。この走査方式は、ライン走査を縦方向に行っているので、以下では、“縦走査方式”と呼ぶ。なお、図２（Ａ），（Ｂ）に示した走査例において、ライン走査を、画面の下から上（−Ｙ方向）に向けて行うことも可能である。
【００２７】
図２（Ｃ）に示した走査方式は、一般的な陰極線管と同様に、ライン走査を水平方向に行い、フィールド（またはフレーム）走査を上下方向に行うようにしたものである。この例では、図２（Ｂ）に示した走査方式に対して、電子ビーム５Ｌ，５Ｒによるそれぞれのライン走査およびフィールド走査をちょうど逆転させた形となっている。
【００２８】
このように、この陰極線管では、オーバ・ラップ領域ＯＬの映像は、２つの電子銃３１Ｌ，３１Ｒからの電子ビーム５Ｌ，５Ｒによって作り出されているため、そのままでは他の領域よりも輝度が高くなってしまう。このため、オーバ・ラップ領域ＯＬの輝度が他の領域と一致するように、その輝度を変調させる必要がある。一般に、輝度と電子ビーム電流は比例するので、電子ビーム電流を制御することで、オーバ・ラップ領域ＯＬとその他の領域とで輝度を一致させることができる。
【００２９】
本実施の形態の輝度補正システムは、この輝度（電子ビーム）を一致させる変調波形を導き出すものであり、入力信号レベル（または、電子銃３１Ｌ，３１Ｒに印加されるドライブ電圧）と輝度とを測定し、その結果から各画面領域の輝度が一致するような変調波形を導き出すものである。
【００３０】
図３は、輝度の不均一性を考慮した信号変調波形を算出するためのシステム構成を示している。このシステムは、陰極線管を駆動する駆動部５１と、その駆動部５１に対してあらゆる階調（信号レベル）の入力信号Ｓ１を発生可能な信号発生部５２と、陰極線管の輝度を測定する輝度検出部５３とを備えている。
【００３１】
このシステムはまた、信号発生部５２および輝度検出部５３を制御する制御部５４と、入力信号レベルと輝度との関係から信号変調曲線を導き出す演算部５５とを備えている。輝度検出部５３には、受光素子を備えた検出器５６が接続されている。検出器５６は、後述するように、輝度の検出対象となるオーバ・ラップ領域ＯＬの所定位置に対応して配置される。輝度検出部５３による輝度の測定データＤ１は、制御部５４に出力されるようになっている。
【００３２】
なお、信号変調曲線に基づいてオーバ・ラップ領域ＯＬの輝度を適正化する手法については、例えば本願出願人による特開２００１−５６６５８号公報に具体的に記載されているので、ここでは説明を省略する。
【００３３】
なお、本実施の形態において、主として輝度検出部５３が、本発明における「測定手段」の一具体例に対応し、演算部５５が、本発明における「第１の演算手段」および「第１の演算手段」の一具体例に対応する。
【００３４】
次に、この輝度補正システムの動作、および輝度補正方法について説明する。
【００３５】
制御部５４は、信号発生部５２を制御し、駆動部５１に入力する信号レベルの制御を行わせる。制御部５４はまた、輝度検出部５３を制御し、信号発生部５２に対する入力信号レベルの制御と同期を取りながら、その入力信号レベルに対する輝度を検出させる。
【００３６】
オーバ・ラップ領域ＯＬにおける輝度の測定は、各分割画面６Ｌ，６Ｒで個別に行う。すなわち、オーバ・ラップ領域ＯＬが、電子銃３１Ｌからの電子ビーム５Ｌによってのみ発光している場合と、電子銃３１Ｒからの電子ビーム５Ｒによってのみ発光している場合との双方で測定を行う。カラー陰極線管ではさらに、赤、青および緑の３色で個別に輝度測定を行う。
【００３７】
入力信号に対する輝度の測定は、例えば８ビットの信号分解（２５６階調）の場合、必ずしもすべての階調に関して行う必要はなく、処理の簡素化のために、適当なステップごとに行い、その間は補間によってデータを補えば良い。そのステップは、全領域一定階調であっても、変化させるような階調であっても良い。
【００３８】
一般に陰極線管では、ある任意の位置ｘにおける信号レベルＳ（ｘ）と輝度Ｙ（ｘ）との関係は、図４に示したようになる。陰極線管においては、ある信号レベルＳｋから電子ビームが出力され始めるが、このときの信号レベルＳｋは一般にカットオフレベルと呼ばれる。
【００３９】
演算部５５は、測定された入力信号レベルと輝度との関係に基づいて、図６に示したような信号変調曲線を決定する。決定される信号変調曲線の波形は、陰極線管を実際に動作させる回路システムによって当然異なってくるが、ここでは、一例として特開２００１−５６６５８号公報で述べられているような、幾つかのあらかじめ決められた階調における信号変調曲線のデータをテーブルとして保持し、全階調の輝度補正を行う場合の、その１つの階調における信号変調波形を導出する場合について説明する。
【００４０】
演算部５５において信号変調波形を導出する際、まず輝度が一様になるために必要となる輝度変調曲線を決定する必要がある。輝度は、一般的に足し合わせが成り立っている。各分割画面６Ｌ，６Ｒについての輝度変調曲線は、それぞれの分割画面６Ｌ，６Ｒの輝度を足し合わせたものが、目標の輝度になる波形であればどのような波形であっても良い。ここでは、一例として、図５に示したように、余弦関数を用いた曲線を基本としたものを輝度変調曲線として用いることにする。
【００４１】
図８に、輝度変調曲線を用いて左右の分割画面６Ｌ，６Ｒで輝度を一定にした例を示す。図８において、曲線７１Ｌが、左の分割画面６Ｌについての輝度変調曲線であり、曲線７１Ｒが、右の分割画面６Ｒについての輝度変調曲線である。直線７２は、輝度変調曲線７１Ｌ，７１Ｒを足し合わせてできたものを示す。図に示したように、輝度変調曲線７１Ｌ，７１Ｒを左右の分割画面６Ｌ，６Ｒで足し合わせることにより、とオーバ・ラップ領域ＯＬとその他の領域との輝度を一定にすることができる。
【００４２】
以下、図１０の流れ図に従って、演算部５５による信号変調曲線の導出処理についてさらに具体的に説明する。ここでは、一例として最大階調時における信号変調波形を導出する場合について考える。輝度変調曲線を求めるに当たり、輝度の不均一性を考慮するため、各分割画面６Ｌ，６Ｒ（各電子ビーム５Ｌ，５Ｒ）につき、オーバ・ラップ領域ＯＬを含む領域内において、複数箇所で輝度の測定を行う。演算部５５は、輝度と信号レベルとに関係する測定データＤ２を、制御部５４を介して取得する（ステップ１０）。
【００４３】
測定箇所は、各分割画面６Ｌ，６Ｒについて、最低２箇所設定する。このうち１箇所は、例えば図９（Ａ），（Ｂ）に示したように、各分割画面６Ｌ，６Ｒについて、オーバ・ラップ領域ＯＬにおける自画面側の境界付近（繋ぎ目付近）の領域９１Ｌ，９１Ｒを含むように設定する。もうひとつの箇所は任意で良いが、好ましくは、例えばオーバ・ラップ領域ＯＬの中心付近の領域９２に設定する。
【００４４】
この輝度測定の結果から、各分割画面６Ｌ，６Ｒについて、オーバ・ラップ領域ＯＬの各位置での輝度分布、すなわち、測定した信号レベルでの輝度Ｙ（ｘ）と位置（ｘ）との関係を求める（ステップＳ１１）。この輝度分布の一例を、図７において符号６１を付して示す。この例では、分割画面６Ｌの周辺に行くに従い発光効率が落ちていくような、不均一な輝度分布となっている。すなわち、同一の信号レベルで駆動した場合に、周辺部に行くほど輝度が落ち込むような分布となっている。
【００４５】
なお、２箇所のみの測定では、すべての領域の輝度分布を直接的に求めることはできないが、この場合、測定箇所以外の領域は、例えば単純な線形補間など、演算により推測して求めることが考えられる。なお、複数箇所測定して全体の輝度分布を推測するのではなく、実際にカメラ等を利用してオーバ・ラップ領域ＯＬ全体の輝度面分布を測定した方が正確であることはいうまでもない。
【００４６】
次に、この輝度分布に基づいて、信号変調曲線を求める際に利用する輝度変調曲線を求める（ステップＳ１２）。例えば、左側の分割画面６Ｌについてのオーバ・ラップ領域ＯＬの輝度変調曲線は、余弦関数を用いた場合、基本的には、以下の式（１）のようになる。
【００４７】
【数１】
2004021057.tif 000003
【００４８】
ここで、Ｙｍａｘは信号レベルが最大の時の輝度、Ｗはオーバ・ラップ領域ＯＬの幅、ｘはオーバ・ラップ領域ＯＬでの位置（左端、ｘ＝０）を示している。
【００４９】
輝度分布を考慮する場合には、式（１）におけるＹｍａｘは通常、オーバ・ラップ領域ＯＬにおける自画面側の境界付近の領域９１Ｌ（図９（Ａ））の位置（ｘ＝０）での輝度Ｙ（０）ｍａｘが用いられる。すなわち、輝度分布を考慮した左側の分割画面６Ｌについてのオーバ・ラップ領域ＯＬの輝度変調曲線は、以下の式（２）のようになる。右側の分割画面６Ｒについての輝度変調曲線を求める場合にも同様の考え方で、Ｙｍａｘは通常、位置ｘ＝Ｗ（右端）における輝度Ｙ（Ｗ）ｍａｘを用いる。左側の分割画面６Ｌについての輝度変調曲線の一例を、図７において符号６２を付して示す。
【００５０】
【数２】
2004021057.tif 000004
【００５１】
このように、各分割画面６Ｌ，６Ｒの輝度の測定箇所に、少なくとも、オーバ・ラップ領域ＯＬにおける自画面側の境界付近の領域、すなわち、オーバ・ラップ領域ＯＬとその測定対象となる分割画面側の他の領域との境界部分の領域９１Ｌ，９１Ｒを含めるようにして、輝度変調曲線を求めるようにしたのは、以下の理由による。オーバ・ラップ領域ＯＬの視認性は、オーバ・ラップ領域ＯＬのみでなく、その隣り合う自画面側の輝度・色度によって大きく影響する。このため、オーバ・ラップ領域ＯＬの輝度の適正化を図るに当たっては、オーバ・ラップＯＬ領域における自画面側の境界付近の領域の輝度が重要となってくる。この視認性に影響を及ぼす部分を測定箇所に含め、その測定結果に基づいて輝度変調曲線を求めることで、視認性に最も影響を及ぼす部分の輝度の変調精度を高めることができる。これにより、少ない測定箇所であっても、適正な輝度変調曲線を決定することができる。
【００５２】
次に、信号レベルＳ（ｘ）および輝度Ｙ（ｘ）の関係（図４）と、輝度変調曲線とを比較し、各位置ｘごとに輝度Ｙ（ｘ）を出力する信号レベルＳ（ｘ）を求める。これをオーバ・ラップ領域ＯＬすべてにおいて行い、左側の分割画面６Ｌのオーバ・ラップ領域ＯＬについての信号変調曲線を導出する（ステップＳ１３）。右側の分割画面６Ｒについても、同様の処理を行い、信号変調曲線を求める。
【００５３】
なお、輝度の分布はオーバ・ラップ領域ＯＬの上下（縦）方向にもある。従って、上下方向において複数箇所の輝度の測定を行い、上下方向についての輝度分布を求めて、信号変調曲線を導出するようにしても良い。これにより、横方向のみならず上下方向についても考慮した、より良質な繋ぎ目処理を施すことが可能となる。
【００５４】
以上説明したように、本実施の形態によれば、輝度の測定箇所に、オーバ・ラップ領域ＯＬにおける自画面側の境界付近の領域９１Ｌ，９１Ｒ（図９（Ａ），（Ｂ））を含めるようにしたので、視認性に最も影響を及ぼす部分の輝度の変調精度を高めることができる。これにより、少ない測定箇所で、適正な輝度変調曲線を決定することができ、輝度変調曲線を容易に決定することができる。
【００５５】
また、本実施の形態によれば、実際の陰極線管における輝度の不均一性を考慮した輝度補正システムを用いることで、ばらつきに対する許容性を高めることができる。また、輝度測定を行って輝度変調曲線を求めることで、実際に商品化した場合における陰極線管の輝度の自動調整の基本にすることができる。また、横方向の輝度分布のみならず、上下方向にも応用することで、さらに良好に輝度補正を行うことができる。カラー陰極線管の場合には、各色について、それぞれ輝度変調曲線を求めることで、輝度だけでなく色度も調整することができる。
【００５６】
なお、本発明は、上記実施の形態に限定されず種々の変形実施が可能である。例えば、上記実施の形態では、入力信号と輝度との関係を測定し、入力信号を変調する場合について説明したが、入力信号のかわりに電子銃を駆動する電圧と輝度との関係を測定し、電子銃に印加する電圧を変調することによっても、オーバ・ラップ領域ＯＬにおける輝度の均一化を図ることができる。この場合、輝度変調曲線は、電子銃の駆動電圧を変調するための電圧変調曲線の算出に用いられる。
【００５７】
また例えば、本発明は、３つ以上の電子銃を備え、１つの画面を３つ以上の走査画面を合成して形成するようにしたものにも適用することが可能である。
【００５８】
【発明の効果】
以上説明したように、請求項１ないし４のいずれか１項に記載の陰極線管の輝度補正システムまたは請求項５記載の陰極線管の輝度補正方法によれば、各分割画面の測定箇所に、少なくとも、重複領域とその測定対象となる分割画面側の他の領域との境界部分を含めるようにしたので、視認性に最も影響を及ぼす部分の輝度の変調精度を高めることができる。これにより、少ない測定箇所で、適正な輝度変調曲線を決定することができ、複電子銃陰極線管において、画面の重複領域における輝度を均一化するための輝度変調曲線を容易に決定することができる。
【図面の簡単な説明】
【図１】本発明の一実施の形態に係る輝度補正システムが適用される陰極線管の概略を示す図であり、（Ｂ）は、陰極線管の画面構成を示す正面図、（Ａ）は、（Ｂ）におけるＩＡ−ＩＡ線断面図である。
【図２】図１に示した陰極線管における電子ビームの走査方式および画面構成の例を示す説明図である。
【図３】本発明の一実施の形態に係る陰極線管の輝度補正システムの概略を示すシステム構成図である。
【図４】信号レベルと輝度との関係を示す図である。
【図５】輝度変調曲線を示す図である。
【図６】信号変調曲線を示す図である。
【図７】輝度変調曲線の算出方法についての説明図である。
【図８】輝度変調曲線の合成についての説明図である。
【図９】輝度の測定点の説明図である。
【図１０】変調信号の算出方法を説明するための流れ図である。
【符号の説明】
ＯＬ…重複（オーバ・ラップ）領域、ＯＳ…過走査（オーバ・スキャン）領域、５Ｌ，５Ｒ…電子ビーム、６Ｌ，６Ｒ…分割画面、１０…パネル部、１１Ａ…蛍光面、１１Ｂ…管面、２０…ファンネル部、２１Ｌ，２１Ｒ…偏向ヨーク、２２…内部導電膜、２３…外部導電膜、２７…ビームシールド、３０Ｌ，３０Ｒ…ネック部、３１Ｌ，３１Ｒ…電子銃、５１…駆動部、５２…信号発生部、５３…輝度検出部、５４…制御部、５５…演算部、５６…検出器。
【図１】
2004021057.tif 000005
【図２】
2004021057.tif 000006
【図３】
2004021057.tif 000007
【図４】
2004021057.tif 000008
【図５】
2004021057.tif 000009
【図６】
2004021057.tif 000010
【図７】
2004021057.tif 000011
【図８】
2004021057.tif 000012
【図９】
2004021057.tif 000013
【図１０】
2004021057.tif 000014